【誤訳訂正書】
【提出日】平成25年12月2日(2013.12.2)
【誤訳訂正１】
【訂正対象書類名】特許請求の範囲
【訂正対象項目名】全文
【訂正方法】変更
【訂正の内容】
【特許請求の範囲】
【請求項１】
凍結した生物学的試料から凍結標本を得るための装置であって、該装置は、
容器内の該試料に接触するためのドリル
を備え、
該ドリルは中空ビットコアリング針を作動させるモータを備え、
ここで、該標本及び該試料を凍結状態に維持しながら、該モータは、該針を該容器内の該試料へと駆動させ、該容器から該凍結標本を取り除くように適合される、装置。
【請求項２】
前記モータが、前記針を前記試料へと駆動させながら、前記凍結した生物学的試料を冷却するように構成される冷却システムをさらに備える、請求項１記載の装置。
【請求項３】
前記容器がクライオチューブ、アレイ又はプラットホームより選択される少なくとも一つである、請求項１に記載の装置。
【請求項４】
前記モータが線形振動運動をもたらす、請求項１に記載の装置。
【請求項５】
前記モータが回転運動をもたらす、請求項１に記載の装置。
【請求項６】
コンピュータと通信する、凍結標本のドリル及び／又は配置を制御するためのサーボ制御装置をさらに備え、該サーボ制御装置は、該コンピュータ及びソフトウェアを用いてプログラム可能である、請求項１に記載の装置。
【請求項７】
前記装置は手動制御される、請求項１に記載の装置。
【請求項８】
前記モータが、前記ビットに、約３０Ｎ〜約９０Ｎの凍結試料に衝突する力をもたらし、
該モータが約４０ＭＰａ〜約８０ＭＰａの力の圧縮応力をもたらし、
該試料は約マイナス９０度から約マイナス１０度の温度で維持されている、請求項４に記載の装置。
【請求項９】
前記試料は約０．５ｍＬ〜約５ｍＬの体積を有する、請求項１に記載の装置。
【請求項１０】
前記試料は約１．５ｍＬ〜約１５ｍＬの体積を有する、請求項１に記載の装置。
【請求項１１】
前記試料は約５ｍＬ〜約５０ｍＬの体積を有する、請求項１に記載の装置。
【請求項１２】
前記ドリルビットの針はさらにグラウンドポイントを有する遠位先端部及びリフティング歯部を備える、請求項１に記載の装置。
【請求項１３】
前記ドリルビットの針が金属又はセラミックである、請求項１に記載の装置。
【請求項１４】
前記金属が、チタン、インコネル６２５、ステンレス鋼３０４、ステンレス鋼３０４Ｌ、ステンレス鋼３１６、ステンレス鋼３１６Ｌ、又はそれらの組み合わせを含む既成の標準の外科用管である、請求項１に記載の装置。
【請求項１５】
前記標本のための受入装置をさらに備える、請求項１に記載の装置。
【請求項１６】
前記受入装置がマイクロアレイである、請求項１５に記載の装置。
【請求項１７】
前記マイクロアレイがレシピエントブロックであって、該レシピエントブロックが型どられた空洞を有する、請求項１６に記載の装置。
【請求項１８】
ばね復帰又はその他のタイプの自動復帰を有する突き出しピンをさらに備え、該突き出しピンは、前記針の内径よりも小さく、かつほぼ同一の断面直径を有する、請求項１に記載の装置。
【請求項１９】
湿度制御、冷凍、血液により運ばれる病原菌に対する使用者への安全性、及び滅菌、又はそれらの組み合わせのための筐体をさらに備える、請求項１に記載の装置。
【請求項２０】
前記容器を掴み、該容器の開口端が前記針の近位にあるようにするためのグリップをさらに備える、請求項１に記載の装置。
【請求項２１】
凍結した生物学的試料から凍結標本を得るための方法であって、該方法は、
容器内の該試料を、モータを有するドリルと接触させて、該標本及び該試料を凍結状態に維持しながら、該凍結した生物学的試料の凍結標本を得る工程であって、該モータは、中空ビットコアリング針を作動させ、該針を該試料へと駆動させる、工程と、
該凍結標本を含む該針を抜く工程と、
該凍結標本を針から受入装置へと押し出す工程と
を含む、方法。
【請求項２２】
前記試料を前記ドリルと接触させながら、該試料を冷却する工程をさらに含む、請求項２１に記載の方法。
【請求項２３】
前記容器が、少なくともクライオチューブ、アレイ、プラットホーム、又はそれらの組み合わせである、請求項２１に記載の方法。
【請求項２４】
前記方法が、少なくとも約マイナス９０度から約マイナス１０度等の温度の局所環境にて行われる、請求項２１に記載の方法。
【請求項２５】
前記標本の複製分割量を得るために前記工程を反復する工程をさらに含む、請求項２１に記載の方法。
【請求項２６】
少なくとも一つの付け加えた試料より標本を得るために前記工程を反復する工程をさらに含む、請求項２１に記載の方法。
【請求項２７】
中空ビットコアリング針を作動させる前記モータが線形振動運動を与えて前記試料の表面を破砕する、請求項２１に記載の方法。
【請求項２８】
前記凍結した標本を前記針から受入装置へ駆動させる工程が、突き出しピンを作動させる工程を含む、請求項２１に記載の方法。
【請求項２９】
前記受入装置は、分析管、クライオチューブ、病理学、組織学及び／又はマイクロアレイ分析用の平面、又はマルチウェルディッシュのウェルである、請求項２１に記載の方法。
【請求項３０】
前記容器の開口端を前記針の近位に保持するためにグリップを使用する工程をさらに含む、請求項２１に記載の方法。
【請求項３１】
科学的研究及び科学的発見のうちの少なくとも一つを行うために前記凍結標本を使用する工程をさらに含む、請求項２１に記載の方法。
【請求項３２】
残存した前記凍結した生物学的試料を凍結した貯蔵器に戻して、その後に該凍結した生物学的試料から別の凍結標本を得る工程をさらに含む、請求項２１に記載の方法。
【請求項３３】
前記残存した凍結した生物学的試料を凍結した貯蔵器に戻す工程は、軍事施設、政府研究所、診断病理学研究所、細胞学研究所、探索研究所、病院、又は診療所のうちの一つ以上における、該残存した凍結した生物学的試料を、凍結した貯蔵器に戻す工程をさらに含む、請求項３２に記載の方法。
【請求項３４】
前記冷却する工程は、冷却レザバー中に前記容器の終端部を浸水させる工程を含む、請求項２２に記載の方法。
【誤訳訂正２】
【訂正対象書類名】明細書
【訂正対象項目名】００１４
【訂正方法】変更
【訂正の内容】
【００１４】
前記装置の他の実施形態において、前記ドリルビットの針はさらにグラウンドポイントを有する遠位先端部及びリフティング歯部を備える。前記装置のある実施形態において、前記ビットの先はセラミック或いは金属である。例えば、チタン、インコネル６２５、ステンレス鋼３０４、ステンレス鋼３１６、ステンレス鋼３１６Ｌの群より選択される少なくとも一つを含む既成の標準の外科用の管である。
【誤訳訂正３】
【訂正対象書類名】明細書
【訂正対象項目名】００２２
【訂正方法】変更
【訂正の内容】
【００２２】
前記方法の他の実施形態において、前記凍結標本を針から受入装置へ押し出すことは突き出しピンを作動させることを含む。
他の実施形態において、前記受入装置は分析管、クライオチューブ、病理学、組織学及び／又はマイクロアレイ分析用の平面、及びマルチウェルディッシュのくぼみからなる群より選択される。
例えば、本発明は以下の項目を提供する。
（項目１）
凍結した生物学的試料から凍結標本を摂取するための装置であって、
容器内の試料に接触するドリルを備え、該ドリルは先端部が中空ビットコアリング針を作動させるモータを備え、
また前記装置はさらに、前記試料を掴むグリップを備え、該グリップは容器の開口端を前記針の近位に有し、
前記モータは前記針を容器内の試料に突き刺し、
前記凍結標本はコンテナ内の試料が解凍していない場合、試料から取り除かれることを特徴とする装置。
（項目２）
前記容器の終端部を浸水させる冷却タンクをさらに備えることを特徴とする項目１記
載の装置。
（項目３）
前記容器がクライオチューブ、アレイ或いはプラットホームより選択される少なくとも一つであることを特徴とする項目１もしくは２いずれかに記載の装置。
（項目４）
前記モータが線形振動運動をもたらすことを特徴とする項目１もしくは２いずれかに
記載の装置。
（項目５）
前記モータが回転運動をもたらすことを特徴とする項目１もしくは２いずれかに記載
の装置。
（項目６）
コンピュータと通信するサーボ制御装置をさらに備え、前記コンピュータ及びソフトウェアを用いてプログラム可能であることを特徴とする項目１から５いずれかに記載の装
置。
（項目７）
前記装置は手動制御されることを特徴とする項目１から５いずれかに記載の装置。
（項目８）
前記モータが前記ビットへ力をもたらし、これにより前記ビットは約３０Ｎ〜約９０Ｎ、約３５Ｎ〜約８０Ｎ，或いは約４０Ｎ〜約７５Ｎ等の力で凍結試料に衝突する力をもたらし、
前記モータが前記ビットへ約４０ＭＰａ〜約８０ＭＰａ、或いは約５０ＭＰａ〜約７０ＭＰａ等の力の圧縮応力をもたらし、
前記試料は約マイナス９０度からマイナス１０度或いは同程度の温度で保存されていることを特徴とする項目１から７いずれかに記載の装置。
（項目９）
前記試料は約０．５ｍＬ〜約５ｍＬ、或いは約１．５ｍＬ〜約１５ｍＬ、或いは約５ｍＬ〜約５０ｍＬ等の体積を有することを特徴とする項目１から８いずれかに記載の装置
。
（項目１０）
前記ドリルビットの針はさらにグラウンドポイントを有する遠位先端部及びリフティング歯部を備えることを特徴とする項目１から９いずれかに記載の装置。
（項目１１）
ドリルビットの針が金属或いはセラミックであることを特徴とする項目１から１０い
ずれかに記載の装置。
（項目１２）
前記金属により既成の標準の外科用管であって、該管は少なくともチタン、インコネル６２５、ステンレス鋼３０４、ステンレス鋼３１６、ステンレス鋼３１６Ｌの群より少なくとも一つの金属を備えることを特徴とする項目１１記載の装置。
（項目１３）
前記標本の受入装置をさらに備えることを特徴とする項目１から１２いずれかに記載
の装置。
（項目１４）
前記受入装置がマイクロアレイであることを特徴とする項目１３に記載の装置。
（項目１５）
前記マイクロアレイがレシピエントブロックであって、該レシピエントブロックが型どられた空洞を有することを特徴とする項目１４記載の装置。
（項目１６）
ばね復帰或いはその他のタイプの自動復帰を有する突き出しピンをさらに備え、該突き出しピンは、前記針の内径よりも小さい及びほぼ同一の断面直径を有することを特徴とする項目１から１５いずれかに記載の装置。
（項目１７）
前記装置はさらに筐体を備え、該筐体は、湿度制御、冷凍、血液により運ばれる病原菌に対する使用者への安全性、及び滅菌の群より選択される少なくとも一つの用途に用いられることを特徴とする項目１から１６いずれかに記載の装置。
（項目１８）
凍結した生物学的試料から凍結標本を採取及び試料を凍結した状態で維持するための方法であって、
中空ビットコアリング針を作動させるモータを有するドリル及び試料を掴むグリップと、容器内の試料に接触する段階を備え、
前記グリップは容器の開口端に位置し前記容器は針の側に位置し、
前記モータは前記針を試料に突き刺すよう動作させ、
前記方法はさらに、凍結標本を含んだ針を抜く段階と、
前記凍結標本を針から受入装置へ押し出す段階を備え、前記凍結標本は前記凍結された生物学的標本から得られ、前記標本は凍結状態で維持されていることを特徴とする方法。
（項目１９）
容器の終端部を浸水させる冷却タンクをさらに備えることを特徴とする項目１８記載
の方法。
（項目２０）
容器がクライオチューブ、アレイ或いはプラットホームより選択される少なくとも一つであることを特徴とする項目１８もしくは１９いずれかに記載の方法。
（項目２１）
前記方法が少なくとも約マイナス９０度から約マイナス１０度等の温度の局所環境にて行われることを特徴とする項目１８記載の方法。
（項目２２）
標本の複製分割量を得るための前記段階を反復する段階をさらに含むことを特徴とする項目１８記載の方法。
（項目２３）
少なくとも一つのさらなる試料より標本を得るため前記段階を反復する段階をさらに含むことを特徴とする項目１８記載の方法。
（項目２４）
中空ビットコアリング針を作動させる前記モータが線形振動運動を与えて前記標本の表面を破砕することを特徴とする項目１８から２３いずれかに記載の方法。
（項目２５）
前記凍結標本を針から受入装置へ押し出す段階が突き出しピンを作動させる段階を備えることを特徴とする項目１８から２４いずれかに記載の方法。
（項目２６）
前記受入装置は分析管、クライオチューブ、病理学、組織学及び／又はマイクロアレイ分析用の平面、及びマルチウェルディッシュのくぼみからなる群より選択されることを特徴とする項目１８から２５いずれかに記載の方法。